(57)【特許請求の範囲】
【請求項１】
蓋体付き容器であって、
内容物を収容する容器部と、前記容器部の略円形状の外周端縁に固定された基部と前記内容物を吐出する開口とを有する吐出部と、を備える容器本体と、
前記開口を開閉可能な開閉機構と、前記開口を覆う頂面部と、前記頂面部の周縁から前記外周端縁側を指向して延在する側壁部と、を備える、蓋体と、
を備え、
前記蓋体は、前記容器部の少なくとも側壁の表面に表した第１のデザインと連続して一つの意匠を構成する第２のデザインを備えており、前記一つの意匠は、動物、人又はキャラクターを模した意匠であり、前記第２のデザインは、前記動物、人又はキャラクターの少なくとも脚部相当部位を含んでおり、
前記頂面部は、前記頂面部の頂面から下方に突出する２個の凸状部であって、それぞれが曲面からなる外壁部と平坦な底面とを備える凸状部からなり前記脚部相当部位を構成する左右一対の脚部と、前記左右一対の脚部の間に前記頂面を含んで形成される凹部と、を備えている、容器。
【請求項２】
前記凸状部の一部が、前記側壁部の外周を越えて延在している、請求項１に記載の容器。
【請求項３】
前記容器は、前記少なくとも一つの凹部又は凸状部を下方に向けて自立する、請求項１又は２に記載の容器。
【請求項４】
前記頂面部は、前記側壁部に対して開閉可能に構成されている、請求項１〜３のいずれかに記載の容器。
【請求項５】
前記容器本体は可撓性を備えており、前記容器本体の変形により内容物を押圧して前記開口より吐出可能である、請求項１〜４のいずれかに記載の容器。
【請求項６】
前記頂面部は、一部をヒンジとして回動して前記側壁部に対して開閉可能に構成されている、請求項１〜５のいずれかに記載の容器。
【発明の詳細な説明】
【技術分野】
【０００１】
本明細書は、容器の蓋体及び蓋体付きの容器に関する。
【背景技術】
【０００２】
従来から、蓋体と容器とが組み合わされて蓋体体付き容器が構成されている。この種の容器においては、例えば、容器本体の円筒形状の開口部を、覆うように脱着可能に固定される蓋体が準備されいる。蓋体の表面全体に容器本体の表面とマッチする色が施されたり、あるいは、蓋体の外周面に、デザイン性や蓋体の開閉時の操作性を考慮した凹凸状の模様が付与されたりすることがあった（例えば、特許文献1）。
【先行技術文献】
【特許文献】
【０００３】
【特許文献１】特開２００６−３０６４９１号公報
【発明の概要】
【発明が解決しようとする課題】
【０００４】
しかしながら、蓋付き容器に関しては、その他のデザイン性や開閉時操作性の向上に関する改良はなされていないのが現状である。
開閉時の操作性を図ろうとすることは全くされていなかった。
【０００５】
本明細書は、容器の蓋体及び蓋体付き容器において、そのデザイン性及び／又は開閉時の操作性を一層向上させる技術を提供する。
【課題を解決するための手段】
【０００６】
本発明者は、蓋体と蓋体付き容器について、デザイン性及び蓋体開閉時の操作につき、種々検討したところ、蓋体の頂面部、すなわち、容器本体の開口部に対向状に配置される部分、を利用することで、蓋体付き容器のデザイン性及び蓋体の開閉時操作性を一層向上させうることを見出した。すなわち、本明細書によれば、以下の手段が提供される。
【０００７】
［１］蓋体であって、
前記蓋体は、
容器本体の開口を開閉可能に装着可能とする開閉機構と、
前記開口部を覆う頂面部と、
前記頂面部の周縁から延在する側壁部と、
を備え、
前記頂面部は、少なくとも一つの凹部又は凸部を備える、蓋体。
［２］前記凸部の一部が、前記側壁部の外周を超えて延在している、［１］に記載の蓋体。
［３］前記少なくとも一つの凹部又は凸部を下方に向けて自立する、［１］又は［２］に記載の蓋体。
［４］前記頂面部は、一つの前記凹部及び／又は二つの前記凸部を備えている、［１］〜［３］のいずれかに記載の蓋体。
［５］前記蓋体は、前記容器の少なくとも側壁部の表面に表した第１のデザインと連続して一つの意匠を構成する第２のデザインを備える、［３］に記載の蓋体。
［６］前記一つの意匠は、動物、人又はキャラクターを模した意匠であり、前記第２のデザインは、前記動物、人又はキャラクターの少なくとも脚部相当部位を含む、［５］に記載の蓋体。
［７］前記頂面部は、前記側壁部に対して開閉可能に構成されている、［１］〜［６］のいずれかに記載の蓋体。
［８］蓋体付き容器であって、
［１］〜［７］のいずれかに記載の蓋体と、
前記蓋体によって、開口が開閉される容器本体と、
を備える、容器。
［９］前記容器本体と前記蓋体とは、全体として、動物、人又はキャラクターの意匠を表す、［８］に記載の容器。
［１０］前記蓋付き容器は、前記蓋体を下方に配置して保管するための容器である、［８］又は［９］に記載の容器。
［１１］前記容器本体は可撓性を備えており、前記容器本体の変形により内容物を押圧して前記開口より押出可能である、［８］〜［１０］のいずれかに記載の容器。
【図面の簡単な説明】
【０００８】
【図１】蓋体を容器本体に装着した状態の一例の正面図及びその分解図を示す図である。
【図２】図１蓋体の正面図、、側面図、平面図及び底面図を示す図である。なお、正面図と背面図は同一に現れ、側面図も左右同一に現れる。
【図３】図１に示す蓋体をより立体的に表した正面図、側面図及び底面図を示す図である。なお、正面図と背面図は同一に現れ、側面図は左右同一に現れる。
【図４】本蓋体の他の一例を示す図であり、正面図、側面図、底面図及び斜視図を示す図である。なお、正面図と背面図は同一に現れ、側面図は左右同一に現れる。
【図５】本蓋体の他の一例を示す図であり、正面図、側面図、底面図及び斜視図を示す図である。なお、正面図と背面図は同一に現れ、側面図は左右同一に現れる。
【図６】本蓋体の他の一例を示す図であり、正面図、側面図、底面図及び斜視図を示す図である。なお、正面図と背面図は同一に現れ、側面図は左右同一に現れる。
【図７】本蓋体の他の一例を示す図であり、正面図、側面図、使用状態を示す図、底面図及び斜視図を示す図である。
【発明を実施するための形態】
【０００９】
本明細書は、蓋体及び蓋体付き容器に関する。本明細書に開示される蓋体（以下、単に、本蓋体ともいう。）は、本蓋体を用いて容器本体の開口を開閉するのにあたり、凹部又は凸部を備えることで、凹部又は凸部に手指を当てて固定したり、これらに掛けたりすることができ、凹部又は凸部に荷重をかけるように蓋体を把持することができる。このため、握力が弱い者や手指が故障している者であっても、容器本体に対する蓋体の装着状態を容易に解除できる。
【００１０】
また、本蓋体の頂面部に凹部又は凸部を備えることは、従来にないデザインであるとともに、容器本体や容器本体表面に備えるデザインと連続させることで、容器全体として意匠を構成することもできる。
【００１１】
本蓋体によれば、蓋付き容器のデザイン性及び／又は開閉時の操作性を一層向上させることができる。
【００１２】
以下、本蓋体及び蓋体付き容器（以下、単に、本容器ともいう。）の各種の実施形態について説明する。
【００１３】
本蓋体は、頂面部に凹部又は凸部を有し、本容器の容器本体の開口部を開閉可能に装着されるものであればよく、その外形、容器本体に対する開閉機構、材質など、特に限定するものではない。本蓋体を含むこの種の蓋体は、例えば、円筒状などの筒状体であり、人工高分子材料、ガラス、セラミックス、金属などの材料の１種又は２種以上で構成されている。
【００１４】
また、本蓋体を適用する容器本体についても、その外形、材質など、特に限定するものではない。容器本体は、例えば、容器本体が可撓性を備えていわゆるチューブ状であって、外部から押圧して容器本体を変形させることで、クリームやゲルなどの流動性内容物を開口部から押し出すように構成されているものでもよい。また例えば、チューブ状ほどの可撓性を備えてはいないが、容器本体の側壁を押圧変形させることで流動性の内容物を吐出するように構成されているものであってもよい。また例えば、ガラス等の剛性の高い容器本体から構成されて、内容物を流下ないし滴下させるように構成されているものであってもよい。
【００１５】
本容器は、各種洗剤、衛生品などの日用品のための容器、食品、調味料、菓子などの飲食品のための容器、接着剤、シーラーなどの工芸品や工業用品のための容器、医薬品のための容器、化粧品のための容器に用いることができる。また、容器の内容物についても、液体、ゲル状体、クリーム状体など特に限定することなく適用される。
【００１６】
以下、本蓋体及び本容器につき、適宜図面を参照して詳細に説明する。図１は、本蓋体を容器本体に装着した状態の一例の正面図及びその分解図を示す図であり、図２は、図１の蓋体の正面図、、側面図、平面図及び底面図を示す図であり、図３は、図１に示す蓋体の種々の斜視図を示す図である。図４〜図７は、それぞれ、本蓋体の他の一例を示す図である。なお、以下の実施形態は、本明細書の開示を説明するためのものであって、その範囲を限定するものではない。
【００１７】
（蓋体及び蓋付き容器）
図１には、蓋体１０を容器本体６０に装着した蓋付きの容器１００及びその分解図を示す。図１に示す蓋体１０は、チューブ状の容器本体６０に装着されて容器１００を構成している。
【００１８】
（容器本体）
図１（ａ）〜（ｂ）に示すように、容器本体６０は、容器部７０と、吐出部８０とを備えている。容器部７０は、可撓性を有する材料で略円筒形状に構成されている。容器部７０の一方の端縁は溶着等により直線状に封止され、他方の端縁は、吐出部８０に固定されている。容器部７０の外表面には、キャラクターの主に上半身の絵柄が付与されている。なお、キャラクターは、本明細書における一つの意匠の一例であり、上半身の絵柄は、本明細書における第１のデザインの一例である。
【００１９】
吐出部８０は、略リング状の基部８２と、基部８２の中央部から延出されてる内容物を吐出するための吐出口部８６とを備えている。基部８２は、円形状の外周端縁８４から、吐出口部８６に向かって徐々に小径になるような傾斜面を有している。容器部７０の他方の端縁は、外周端縁８４に溶着等により固定されている。吐出口部８６は、内容物を吐出する開口８８を備える略円筒形に形成されており、その外周には、蓋体１０を固定するための雄ネジとしての螺合部８７を備えている。なお、この螺合部８７と後述する螺合部５３は、本明細書における開閉機構の一例である。
【００２０】
（蓋体）
蓋体１０は、容器本体６０の吐出部８０の開口８８を開閉する。図１に示すように、蓋体１０は、容器部７０の外表面に付されたキャラクターの絵柄と色とにマッチする絵柄と色をその外表面に備えている。より具体的には、容器部７０の外表面に付されたキャラクターの絵柄と色とに連続して、キャラクターの脚部に相当するように同一色であってかつ形状がデザインされている。なおこの絵柄は、本明細書における第２のデザインの一例である。蓋体１０を備える容器１００は、全体として一つの意匠を構成することができるとともに、蓋体１０は、独立した蓋体の意匠を構成するとともに、容器１００における部分意匠を構成することができる。
【００２１】
図２（ａ）〜（ｄ）及び図３（ａ）〜（ｃ）に示すように、蓋体１０は、頂面部２０と、側壁部４０と、側壁部４０の開放端縁から構成される開口部３０とを、備えている。蓋体１０は、これらの３つの要素から、頂面部２０を底部とし、中空部１２を有する略容器状に構成されている。
【００２２】
図２（ａ）〜（ｃ）に示すように、開口部３０は、吐出部８０の外周端縁８４に当接するように円形状の端縁として形成されている。開口部３０は、外周端縁８４に沿って、容器部７０の外表面と連続するように装着可能に構成されている。側壁部４０は、開口部３０の端縁から延出されて頂面部２０に向かって徐々に小径となるように収束している。
【００２３】
図２（ｃ）に示すように、頂面部２０の中空部１２側の底面２１の中央部には、容器本体６０に蓋体１０を装着するための装着部５０を備えている。装着部５０は、図面上方に開口する略円筒形状であり、装着部５０の底部には、螺合完了時には容器本体６０の開口８８を封止できるような高さを備えた封止部５２を備えている。装着部５０の内周壁には、吐出口部８６の外周壁に構成された螺合部８７に螺合する雌ネジ部である螺合部５３を備えている。装着部５０は、螺合部８７と螺合するのに十分な螺合部５３を確保できる高さに形成されている。
【００２４】
図２（ａ）〜（ｄ）に示すように、頂面部２０は、側壁部４０が収束して形成された楕円状の頂面２３を備えている。頂面２３には、頂面２３から図１中下方に凸状に形成された脚部２２ａ、２２ｂを備えている。脚部２２ａ、２２ｂは、本明細書に開示される凸部の一例である。頂面部２０は、脚部２２ａ、２２ｂを、図１中、頂面２３の左右側に一対で同じ形状で備えている。
【００２５】
脚部２２ａ、２２ｂは、頂面部２０に向かって収束する側壁部４０から連続する外周縁２４ａ、２４ｂと、この外周縁２４ａ、２４ｂに連続するとともにこれらに一定の幅を持って倣う内周縁２５ａ、２５ｂと、を備えている。脚部２２ａ、２２ｂは、それぞれ側方に膨らむ略円弧状断面を備えている。また、脚部２２ａ、２２ｂは、それぞれ、頂面２３の円周方向に倣う端部２６ａ、２７ａ、２６ａ、２７ｂを備えている。
【００２６】
脚部２２ａ、２２ｂを左右一対で備えるため、脚部２２ａ、２２ｂの間は、図２（ａ）に示すように、頂面２３が脚部２２ａ、２２ｂよりも低くなるため、頂面２３の脚部２２ａ、２２ｂを備えない部分は、凹状部２４となっている。この凹状部２４は、本明細書に開示される凹部の一例である。この凹状部２４には、図示はしないが、例えば、脚部２２ａ、２２ｂとの間に１又は２以上の、脚部２２ａ、２２ｂを越えない小さい凹凸部を形成することができる。
【００２７】
また、脚部２２ａ、２２ｂを左右一対で備えることにより、例えば、人、動物、キャラクターなどの脚部を模倣することができる。したがって、図１に示すように、脚部２２ａ、２２ｂは、容器部７０の外表面に付されるキャラクターの脚部を含む下半身相当部位（第２のデザイン）を構成することができる。
【００２８】
さらに、脚部２２ａ、２２ｂは、脚部２２ａ、２２ｂを下方にしたとき、それ自体自立できるほか、容器１００全体を自立させることができるように構成されている。具体的には、脚部２２ａ、２２ｂは、同一の高さで突出されているとともに、その底部はいずれも平坦であり、容器１００全体を安定的に立設できるように構成されている。
【００２９】
頂面部２０においては、脚部２２ａ、２２ｂ及び凹状部２４は、脚部２２ａ、２２ｂの端部２６ａ、２７ａ、２６ａ、２７ｂに、使用者が手指をかけて力を掛けて蓋体１０を容易に回転させることができるように構成されている。すなわち、脚部２２ａ、２２ｂは、このために好適な高さを有し、また、凹状部２４は、手指を挿入できる程度の幅を備えている。
【００３０】
次に、このように構成した蓋体１０及び容器本体６０とからなる容器１００の使用形態について説明する。図１に示すように、容器１００においては、蓋体１０の脚部２２ａ、２２ｂが、容器部７０の表面に付されたキャラクターの脚部を含む下半身を構成することができる。すなわち、蓋体１０が脚部２２ａ、２２ｂを備えることで、容器１００は全体として一つの意匠を構成できるとともに、表示できるキャラクターの表現自由度が向上させることができる。また、これにより、容器１００の視認性を向上させることが可能となる。
【００３１】
また、蓋体１０が脚部２２ａ、２２ｂを備えることで、使用者がこれらに手指をかけて固定しやすいために、蓋体１０の回転操作がしやすくなっている。すなわち、蓋体１０の開閉動作、なかでも、容器本体６０から外す動作が容易となっている。また、脚部２２ａ、２２ｂを左右一対のキャラクターの脚部として構成することで、蓋体１０の好ましい装着状態を容器部７０に付されたキャラクターの脚部に一致させることで簡易に使用者に認識させることができる。
【００３２】
また、上記実施形態では図示はしていないが、凹状部２４に、小さい凹凸部（例えば、０．１ｍｍ以上３ミリ以下程度、また例えば、２ｍｍ以下程度、また例えば、１ｍｍ以下程度）を備えるようにすることで、使用者の手指を脚部２２ａ、２２ｂに係止しやすくかつ固定しやくなり、蓋体１０の開閉動作を一層容易にすることができる。
【００３３】
上記実施形態では、脚部２２ａ、２２ｂを左右一対で、かつ同一形状でかつ平坦な底部を備えることで、蓋体１０を下方にして容器１００を載置する場合であっても、容器１００を安定して自立させることができる。
【００３４】
上記実施形態では、凹状部２４を備えることで、容器１００を、蓋体１０を下方にして自立させて載置する場合であっても、載置面との間に空隙ができるために、載置収納時の通気性を確保することができる。
【００３５】
上記実施形態では、左右一対の脚部２２ａ、２２ｂを、略円筒形状の側壁部４０の一部から連続して備えること、すなわち、側壁部４０と脚部２２ａ、２２ｂの外周縁２４ａ、２４ｂとが連続している。こうすることで、これら外周縁２４ａ、２４ｂを手指で把持するようにしても、脚部２２ａ、２２ｂの端部２６ａ、２６ｂ、２７ａ、２７ｂに手指が係止されるため、回転による開閉動作が容易になっている。同時に、外観上の美感に優れている。
【００３６】
上記実施形態では、左右一対の脚部２２ａ、２２ｂの間に頂面２３が露出された凹状部２４を備えることで、使用者の手指を凹状部２４に差し込んだときに、脚部２２ａ、２２ｂの内周縁２５ａ、２５ｂや端部２６ａ、２６ｂ、２７ａ、２７ｂに手指が係合するため、蓋体１０の回転による開閉動作を一層容易にすることができる。
【００３７】
上記実施形態では、容器１００は、一つのキャラクターを連続して表すものとしたが、これに限定するものでない。容器１００は、必ずしも、一つの意匠を表すことは必要ではなく、容器本体６０と蓋体１０とは、独自の意匠をそれぞれ備えることができる。また、容器１００が表す意匠は、人、動物、キャラクターのほか、植物、物品、商標などとすることができるほか、特に限定するものではない。例えば、色、文字、数字及び模様、あるいはこれらの組み合わせであってもよい。
【００３８】
上記実施形態では、容器１００は、容器本体６０が可撓性を備えており、容器本体６０の変形により内容物を押圧して開口から押出可能であるが、これに限定するものではない。容器本体６０は、硬質のガラス、セラミックス、金属等の材料であってもよい。
【００３９】
上記実施形態では、蓋体１０が備える開閉機構は、ネジによる螺合としたが、これに限定するものではない。容器の分野において、容器本体６０を開閉可能に蓋体１０を装着する公知の開閉機構を適宜採用できる。例えば、螺合のほかには、嵌合等が挙げられる。
【００４０】
上記実施形態では、蓋体１０は、左右一対の脚部２２ａ、２２ｂを備えて、キャラクターの脚部を模倣できるものとしたがこれに限定するものではない。脚部は、頂面２３において任意の位置に、１個、２個又は３個以上備えていてもよい。少なくとも１個の脚部を備えることで、蓋体１０の開閉動作は容易化できる。なお、蓋体１０を下方に位置させて自立させて収納等する場合には２個以上の脚部を均等に備えることが好ましい。また、正面からみて、左右一対にみえるように、左右の脚部が分割されて、合計４つの脚部を備えるものであってもよい。
【００４１】
上記実施形態では、頂面部２０において、明らかに凸部である脚部２２ａ、２２ｂを備えるものとしたがこれに限定するものではない。例えば、頂面部２０には、少なくとも一つの凹部を形成するようにしてもよい。こうすることで、反射的に凹部以外の部分が凸部となる。例えば、頂面部２０の中央部に円形状の凹部を形成してもよい。こうすることで、当該凹部の外周縁は、リング状の凸部となる。この凹部に手指を挿入しリング状凸部に掛けることによっても、蓋体の開閉時の操作性を向上させることができる。また、頂面部２０の頂面２３に複数個の比較的小さい凹凸部（既述のサイズを備える）や粗面を設けることもできる。こうすることで、頂面に手指を当接させることで、より安定して蓋体１０を把持できるため、蓋体の開閉時の操作性を向上させることができる。同様のことは、頂面２３に比較的小さい複数個の凸部を設けることによっても実現される。
【００４２】
なお、蓋体１０の凹部又は凸部は、例えば、図４〜図７にそれぞれ示す形態で実施することも可能である。図４〜図７には、蓋体１０の変形例を示すが、これらの蓋体は、いずれも、容器部７０に表される第１のデザインと観念的、色的、模様的など、デザイン上マッチする第２のデザインを備えることができる。こうした蓋体を備える容器も、全体として一つの意匠を構成することができるとともに、蓋体は、独立した蓋体の意匠を構成するとともに、容器における部分意匠を構成することができる。また、これらの蓋体の変形例は、いずれも、蓋体自体で脚部を下方にして自立できるほか、容器本体６０を備えた状態でも、蓋体を下方にして自立することができる程度に十分に平坦でかつ大きさの脚部を備えている。
【００４３】
図４に示す形態では、蓋体１１０の頂面部１２０の頂面１２３には、断面略紡錘形状の左右一対で同一形状の脚部１２２ａ、１２２ｂを備えている。これらの脚部１２２ａ、１２２ｂは、側壁部１４０から突出することなく、かつ、相互に分離して頂面１２３から
【００４４】
図５に示す形態では、蓋体２１０の頂面部２２０の頂面２２３の中央部分には、直径の全体に渡る凹部２２４を備えている。換言すれば、凹部２２４の左右側に、断面が略半円状の脚部２２２ａ、２２２ｂを左右一対でしかも同一形状で備えている。
【００４５】
図６に示す形態では、蓋体３１０の頂面部３２０の頂面３２３には、脚部３２２ａ、３２２ｂを備えている。脚部３２２ａ、３２２ｂは、断面楕円形状であり、かつ、左右一致でしかも同一形状である。脚部３２２ａ、３２２ｂは、それぞれ、前後方向に蓋体３１０の側壁部３４０を超える長さを備えている。また、脚部３２２ａ、３２２ｂは、それぞれ、左右側が側壁部３４０の外周縁を超えて備えられている。すなわち、本形態では、凸部の一部が、側壁部の外周を超えて延在している。この形態によれば、蓋体３１０を下方にしたとき、一層安定して容器本体を載置することができるとともに、開閉動作も一層容易に行うことができる。
【００４６】
図７に示す形態では、蓋体４１０の頂面部４２０の頂面４２３には、脚部４２２ａ、４２２ｂを備えている。脚部４２２ａ、４２２ｂは、断面略半円形状であり、かつ、左右対称で同一形状である。脚部４２２ａ、４２２ｂは、それぞれ、前後方向に蓋体４１０の側壁部４４０を超える長さを備えている。なお、脚部４２２ａ、４２２ｂは、それぞれ、左右側が側壁部４４０の外周縁を超えてはいないが、超えていてもよい。この形態によれば、蓋体4１０を下方にしたとき、一層安定して容器本体を載置することができるとともに、開閉動作も一層容易に行うことができる。
【００４７】
また、図７に示す形態は、図７（ｃ）に示すように、頂面部４２０が、側壁部４４０に対して開閉可能になっている。具体的には、一部をヒンジとして頂面部４２０が回動して側壁部４４０の開口を開閉動作可能になっている。蓋体４１０がこうした開閉機構を備える場合であっても、脚部４２２ａ、４２２ｂのような凹部を備えることで、開閉動作がしやすく、また、容器全体としての意匠を構成できる。かかる開閉機構は、種々の頂面部に適用することができる。
【符号の説明】
【００４８】
１０、１１０、２１０，３１０、４１０  蓋体
１２  中空部
２０、１２０、２２０、３２０、４２０  頂面部
２２ａ、２２ｂ、１２２ａ、１２２ｂ、２２２ａ、２２２ｂ、３２２ａ、３２２ｂ、４２２ａ、４２２ｂ  脚部
２３、１２３，２２３、３２３、４２３  頂面
２４、２２４  凹状部
２４ａ、２４ｂ  外周縁
２５ａ、２５ｂ  内周縁
２６ａ、２６ｂ  周方向の端部
２７ａ、２７ｂ  周方向の端部
３０  開口部
４０、１４０、２４０、３４０、４４０  側壁部
５０  装着部
５２  封止部
５３  螺合部
６０  容器本体
７０  容器部
８０  吐出部
８４  端縁
８６  吐出口部
８７  螺合部
８８  開口
１００  容器
【要約】      （修正有）【課題】容器の蓋体及び蓋体付き容器において、そのデザイン性及び／又は開閉時の操作性を一層向上させる技術を提供する。【解決手段】蓋体１０として、容器本体の開口を開閉可能に装着可能とする開閉機構と、前記開口部を覆う頂面部２０と、前記頂面部の周縁から延在する側壁部４０と、を備え、前記頂面部は、少なくとも一つの凹部又は凸部を備えるようにする。こうすることで、蓋付き容器におけるデザイン性及び／又は開閉時の操作性を一層向上させることができる。【選択図】図１【図１】
0006925685.tif 000002
【図２】
0006925685.tif 000003
【図３】
0006925685.tif 000004
【図４】
0006925685.tif 000005
【図５】
0006925685.tif 000006
【図６】
0006925685.tif 000007
【図７】
0006925685.tif 000008